(57)【要約】【課題】前照灯１２と作業灯１３とが点灯している状態で機体の走行状態を検出した場合に、作業灯１３を点滅させて作業灯１３が点灯したまま路上走行を行わないように、運転作業者に注意を促す。【解決手段】穀稈を刈取る刈取装置（４）と、刈取り穀稈の供給を受けて脱穀する脱穀装置（５）と、該刈取装置（４）と脱穀装置（５）を始動及び停止操作する刈脱クラッチレバー（１１）と、穀粒貯留タンク（７）へ貯留した穀粒の機外への排出を始動及び停止操作する排出クラッチレバー（１０）と、該脱穀装置（５）部に備えた前照灯（１２）及び作業灯（１３）と、前記前照灯（１２）と作業灯（１３）とが点灯している状態で機体の走行状態を検出した場合に、前記作業灯（１３）を点滅させる制御装置（９）を設ける。【選択図】図４
2009055824.tif 000002
【特許請求の範囲】
【請求項１】
穀稈を刈取る刈取装置（４）と、刈取り穀稈の供給を受けて脱穀する脱穀装置（５）と、該刈取装置（４）と脱穀装置（５）を始動及び停止操作する刈脱クラッチレバー（１１）と、穀粒貯留タンク（７）へ貯留した穀粒の機外への排出を始動及び停止操作する排出クラッチレバー（１０）と、該脱穀装置（５）部に備えた前照灯（１２）及び作業灯（１３）と、前記前照灯（１２）と作業灯（１３）とが点灯している状態で機体の走行状態を検出した場合に、前記作業灯（１３）を点滅させる制御装置（９）を設けたことを特徴とするコンバイン。
【請求項２】
前記刈脱クラッチレバー（１１）の停止操作と排出クラッチレバー（１０）の停止操作とが行われ、且つ、作業灯（１３）と前照灯（１２）とが点灯している状態で機体の走行状態が検出された場合に作業灯（１３）を点滅させ、該作業灯（１３）の点滅開始から所定時間経過後に該作業灯（１３）を消灯させる制御装置（９）を設けたことを特徴とする請求項１に記載のコンバイン。
【発明の詳細な説明】
【技術分野】
【０００１】
本発明は、コンバインに関するものである。
【背景技術】
【０００２】
特開２００４−１４２５５８号公報に示されるように、車体前部に連結した取付部の枠体に、前照灯、及び側照灯を支持させて設け、該枠体に直接連結して支持させた作業者等の照明装置であり、走行、及び作業状態により、自動で点灯、点滅、消灯等の制御は行われない構成である。
【特許文献１】特開２００４−１４２５５８号公報で示すように、コンバインに設ける照明装置は、車体前部に連結した取付部の枠体に、前照灯、及び側照灯を支持させて、該枠体に直接連結して設けた、該コンバインの該照明装置であるが、このコンバインが走行状態、及び作業状態等により、点灯、点滅、照灯等の制御が自動で行われない構成である。該側照灯のスイッチ手段による入り指令、及び該側照灯のスイッチ手段による入り指令があると、該側照灯が点灯する。又、該側照灯のスイッチ手段による指令があると共に、作業装置（刈取装置）が下降作業位置に下降されると、該側照灯が自動的に点灯されるように設けた構成である。
【特許文献２】特開２００４−１４２５５８号公報
【発明の開示】
【発明が解決しようとする課題】
【０００３】
前記コンバインの刈取装置で立毛穀稈を刈取り、この刈取り穀稈が脱穀装置へ供給されて、この脱穀装置内を挟持移送中に脱穀処理、及び選別処理等が行われる。
前記コンバインの車体前部に連結した取付部の枠体には、前照灯、及び側照灯（作業灯）を支持させて設け、該枠体に直接連結して設けた、該コンバインの該照明装置であるが、このコンバインが走行状態、及び作業状態等により、点灯、点滅、照灯等の制御が自動で行われない構成であり、このために、該コンバインを運転操作する作業者が、これらを行うと共に、走行操作等も同時に行う構成であり、運転操作する作業者が大変である。又、該側照灯（作業灯）を点灯状態のままで路上走行を行わないようにしようとするものである。
【課題を解決するための手段】
【０００４】
上述のような課題を解決するために、この発明は、次のような技術手段を講じる。
即ち、請求項１記載の発明は、穀稈を刈取る刈取装置（４）と、刈取り穀稈の供給を受けて脱穀する脱穀装置（５）と、該刈取装置（４）と脱穀装置（５）を始動及び停止操作する刈脱クラッチレバー（１１）と、穀粒貯留タンク（７）へ貯留した穀粒の機外への排出を始動及び停止操作する排出クラッチレバー（１０）と、該脱穀装置（５）部に備えた前照灯（１２）及び作業灯（１３）と、前記前照灯（１２）と作業灯（１３）とが点灯している状態で機体の走行状態を検出した場合に、前記作業灯（１３）を点滅させる制御装置（９）を設けたことを特徴とするコンバインとしたものである。
【０００５】
請求項２記載の発明は、前記刈脱クラッチレバー（１１）の停止操作と排出クラッチレバー（１０）の停止操作とが行われ、且つ、作業灯（１３）と前照灯（１２）とが点灯している状態で機体の走行状態が検出された場合に作業灯（１３）を点滅させ、該作業灯（１３）の点滅開始から所定時間経過後に該作業灯（１３）を消灯させる制御装置（９）を設けたことを特徴とする請求項１に記載のコンバインとしたものである。
【発明の効果】
【０００６】
請求項１記載の発明によると、前照灯１２と作業灯１３とが点灯している状態で機体の走行状態を検出した場合に、作業灯１３を点滅させて作業灯１３が点灯したまま路上走行を行わないように、運転作業者に注意を促すことができる。又、周囲の別の車両に対しても注意を促すことができる。
【０００７】
請求項２記載の発明においては、上記請求項１記載の発明の効果を奏するものでありながら、作業灯１３の点滅開始から所定時間経過後に該作業灯１３を消灯させることによって、この作業灯１３を手動操作によって消灯する必要がなく、操作を容易化することができる。
【発明を実施するための最良の形態】
【０００８】
以下、本発明の一実施例を図面に基づいて説明する。
コンバイン１の走行車台２の下側に走行装置３を設け、該走行車台２の前部に立毛穀稈を刈取りする刈取装置４を設け、該走行車台２の上側に刈取り穀稈の供給を受けて、挟持移送中に脱穀する脱穀装置５と、該脱穀装置５の右横側に脱穀済み穀粒の供給を受けて、一時貯留する穀粒貯留タンク７等とを載置すると共に、該穀粒貯留タンク７へ貯留した穀粒を機外へ排出、及び停止操作する排出クラッチレバー１０と、該刈取装置４と、該脱穀装置５とを始動、及び停止操作する刈脱クラッチレバー１１等とを操作装置８に設けている。
【０００９】
前記脱穀装置５部、又は脱穀処理部６には、前照灯１２、及び作業灯１３等を設け、該前照灯１２と該作業灯１３とが点灯している状態で走行検出時には、該作業灯１３を点滅させるべく制御する制御装置９を該操作装置８に内装して設けている。該前照灯１２、及び該作業灯１３等と、これらの点灯制御を主に図示して説明する。
【００１０】
前記コンバイン１の走行車台２の下側には、図１、及び図２で示すように、土壌面を走行する左右一対の走行クローラ３ａを張設した走行装置３を配設し、該走行車台２の上側面に脱穀装置５を載置している。該走行車台２の前方部の刈取装置４で立毛穀稈を刈り取りして、後方上部に移送し、該脱穀装置５のフィードチェン５ａと、挟持杆５ｂとで引継いで挟持移送しながら脱穀する。脱穀済みで選別済み穀粒は、該脱穀装置５の右横側へ配設した穀粒貯留タンク７内へ供給され、一時貯留される。
【００１１】
図１〜図４で示すように、コンバイン１の走行車台２の前部に設けた刈取装置４で刈取りした刈取り穀稈の供給を受けて、挟持移送中に脱穀する脱穀装置５と、脱穀済み穀粒の供給を受けて、一時貯留する穀粒貯留タンク７と、エンジン１５等とを該走行車台２の上側面に載置して設けている。
【００１２】
前記刈取装置４と、該脱穀装置５等とを始動、及び停止操作する刈脱クラッチレバー１１と、該穀粒貯留タンク７へ貯留した穀粒を機外へ排出、及び排出停止操作する排出クラッチレバー１０とを操作装置８へ回動自在に軸支して設けている。
【００１３】
前記脱穀装置５部、又は脱穀処理部６には、前照灯１２、及び作業灯１３を設けている。該前照灯１２と、該作業灯１３とが点灯している状態であると、操作装置８に内装して設けた制御装置９で検出されると共に、コンバイン１が走行状態であり、該操作装置８の該制御装置９で走行が検出された状態であると、該作業灯１３を点滅状態にすべく、該操作装置８の該制御装置９で図３で示すように、制御する構成である。又、詳細な制御のフローチャートは、図４で示す如くである。
【００１４】
前記走行車台２の前部に刈取装置４を設けると共に、該走行車台２の上側面に脱穀装置５と、穀粒貯留タンク７と、エンジン１５等とを載置して設け、又、該刈取装置４と、該脱穀装置５等とを始動、及び停止操作する刈脱クラッチレバー１１と、該穀粒貯留タンク７へ貯留した穀粒を機外へ排出、及び排出停止操作する排出クラッチレバー１０等とを該操作装置８に設けている。
【００１５】
前記前照灯１２と、前記作業灯１３とが点灯している状態で、走行装置３の各走行クローラ３ａが走行中で、該操作装置８の制御装置９が走行を検出中のときには、該制御装置９で該作業灯１３を点滅させるように制御することにより、該作業灯１３を点灯のままで路上走行を行わないように、運転作業者に注意を促すことができる。又、対向車両に対しても注意を促すことができる。
【００１６】
前記操作装置８に設けた刈脱クラッチレバー１１の「切」操作と、排出クラッチレバー１０の「切」操作と、穀粒貯留タンク７内へ貯留した貯留穀粒を、機外へ排出する穀粒移送排出筒１４で穀粒排出作業が行われていない状態のときには、作業灯１３と、前照灯１２とが点灯している状態で、走行を検出後に該作業灯１３を点滅させるべく該操作装置８に内装して設けた制御装置９で出力制御すると共に、この出力制御後に所定時間の経過で、該作業灯１３を消灯させるように、該制御装置９で制御する構成である。
【００１７】
前記刈脱クラッチレバー１１の「切」操作と、該排出クラッチレバー１０の「切」操作と、穀粒貯留タンク７内へ貯留した貯留穀粒を、機外へ排出する穀粒移送排出筒（オーガ）１４で穀粒排出作業が行われていない状態のときには、該作業灯１３と、該前照灯１２とが点灯している状態で、走行検出後に該作業灯１３を点滅させるべく出力制御すると共に、所定時間経過で該作業灯１３を消灯させるべく該操作装置８の該制御装置９で制御することにより、該作業灯１３を点灯のままで路上走行を行わないように、運転作業者に注意を促すことができる。又、対向車両に対しても注意を促すことができる。
【００１８】
前記作業灯１３の点灯、及び消灯を、操作装置８に設けた「ＯＮ」−「ＯＦＦ」方式の操作スイッチ８ａを手動操作で点灯操作したときには、この操作を該操作装置８の制御装置９に記憶され、制御において点滅、又は消灯の各条件が発生したときであっても、連続点灯出力を継続する構成である。
【００１９】
これにより、運転作業者の任意の操作を妨害しないようにすることができる。
前記作業灯１３が自動点滅中には、該作業灯１３を操作装置８に設けた該操作スイッチ８ａを手動操作により、点灯操作を行ったときには、点滅を連続点灯に制御装置９により、変更制御する構成である。
【００２０】
これにより、運転作業者が操作する任意の操作を妨害しないようにすることができる。
図３で示すようなブロック図と、図５、及び図６で示すような各フローチャート図のように、前記操作装置８に設けた該操作スイッチ８ａの作業灯スイッチ１６ａ、及び前照灯スイッチ１６ｂ等の「ＯＮ」−「ＯＦＦ」の操作、又は照度センサ１７が検出する検出値等が、該操作装置８の制御装置９への入力により、該制御装置９からの出力によって、前照灯１２、又は作業灯１３を点灯、消灯、記憶消去等の制御を行う構成である。
【００２１】
これにより、運転作業者の任意操作を妨害しないようになった。
図３、及び図５で示すように、前記前照灯１２、又は作業灯１３のいずれか一方が点灯中で、走行検出の時に、点灯中の照明の消灯操作が、一定時間以上継続したことを検出時には、これら照明の消灯を制御装置９で制御する構成である。
【００２２】
これにより、夜間走行中に誤操作による消灯を防止することができる。
図３、及び図５で示すように、前記前照灯１２、及び該作業灯１３の両方が点灯中で、走行検出の時に、両照明の消灯操作を検出しても、予め既定した一方の照明は、点灯を継続すべく制御装置９で制御出力を行う構成である。
【００２３】
これにより、夜間走行中に誤操作による消灯を防止することができる。
図７〜図１２で示すように、前記コンバイン１の刈取装置４には、多機能供給深さセンサ１８を設けた構成である。
【００２４】
前記多機能供給深さセンサ１８は、複数（５個程度）の発光光源（ＬＥＤ）１８ａと、１個の位置検出素子（ＰＳＤ）１８ｂとからなり、穂先検出と、層厚検出とを行う構成である。
【００２５】
又、前記多機能供給深さセンサ１８の該発光光源（ＬＥＤ）１８ａの略真下方向の距離を、穂先位置検出とする構成である。更に、穀稈の並びと、該深センサ１８の発光部と受光部との光軸を結ぶ直線が、略平行になるように取付けした構成である。
【００２６】
これらにより、一個の前記多機能供給深さセンサ１８により、穀稈の供給深さと、供給層厚とが検出できることにより、配策の簡易化、及びコスト低減を図ることができる。又、穂先の検出を略真下方向で行うことにより、層厚の影響を受けることが少なくなる。更に、発行部と受光部との光軸を結ぶ直線が、平行になるように取付けるため、測定する穀稈の穂先位置と、層厚が同じ穀稈で検出されることにより、安定した検出ができる。
【００２７】
前記走行車台２の前方部には、図１、及び図２で示すように、立毛穀稈を分離するナローガイド１９、及び分草体２０と、立毛穀稈を引起す引起装置２１と、引起された穀稈を掻込みする穀稈掻込移送装置２２の各掻込装置２２ａと、掻込された穀稈を刈取る刈刃装置２３と、刈取りされた穀稈を挟持移送して脱穀装置５のフィードチェン５ａと、挟持杆５ｂとへ受渡しする該穀稈掻込移送装置２２の根元・穂先移送装置２４ａ・２４ｂ等からなる刈取装置４を設けている。該刈取装置４は、油圧駆動による伸縮シリンダ２５により、土壌面に対して昇降する。
【００２８】
前記刈取装置４の前方下部から後方上部へ傾斜する支持杆２６ａの上端部に設ける支持パイプ杆２６ｂを、走行車台２の上側面に設けた支持装置２６ｃで回動自在に支持させている。伸縮シリンダ２５を作動させると支持杆２６ａと共に、該刈取装置４が上下回動する。
【００２９】
前記刈取装置４の穀稈掻込移送装置２２によって形成される穀稈移送経路中には、刈取られて移送する穀稈に接触作用することにより、脱穀装置５への穀稈の供給の有無を検出する穀稈センサ４ａを設けている。
【００３０】
前記穀粒貯留タンク６側の前部には、図１、及び図２で示すように、コンバイン１を始動、停止、及び各部を調節等の操作を行う操作装置８と、操縦席２８とを設け、この操縦席２８の下側にエンジン１５を載置している。
【００３１】
前記走行車台３の前端部に装架した走行用のミッションケース２９内の伝動機構２９ａの伝動経路中には、その出力に基づいて、走行車速を検出するポテンションメータ方式の車速センサ２９ｂを設けている。
【００３２】
前記穀粒貯留タンク７内へ貯留した穀粒を機外へ排出するこの穀粒貯留タンク７の後側には、図１、及び図２で示すように、縦移送螺旋３０ａを内装した排出支持筒３０を略垂直姿勢で旋回自在に装着して設け、この排出支持筒３０の上端部には、その全長がコンバイン１の前後長に亘る機外へ穀粒を排出する排出螺旋３１ａを伸縮自在に内装した排出オーガ３１を伸縮自在、上下回動自在、及び左右旋回自在に前後方向に配設している。
【００３３】
図１３は、従来の油圧無段変速装置（ＨＳＴ）の吐出圧力、及び吸入圧力と、時間との関係図であり、又、図１４は、従来の該油圧無段変速装置（ＨＳＴ）のパワースペクトルと、周波数との関係図で従来の吸入圧の発生状態である。これらにより、良否を判定する油圧無段変速検査装置である。圧力情報に含まれる内部の機構部品の動きにより、発生する油圧情報を抽出する手段によって得られるデータの最大圧力、及び変動等の情報から従来の該油圧無段変速装置の良否判定を行う構成である。吸入側の圧力は、該油圧無段変速装置内の機構部品の動きに影響され、吸入側の変動が大きい等の問題があった。
【００３４】
上述の問題を解決するために、圧力センサを設けた油圧無段変速検査装置とした構成である。これにより、図１５で示すような、吐出圧力、及び吸入圧力と、時間との関係図である。又、図１６で示すように、パワースペクトルと、周波数との関係による、吸入圧になる構成である。０〜５００ＨＺの圧力の発生状態を測定することにより、良否判定が可能である。発生圧に大きなピークがない構成である。
【００３５】
前記油圧無段変速装置（ＨＳＴ）の良否の判定は、圧力を測定し、設定周波数帯の情報を抽出し、良否判定値を算出し（変動、及びピーク値等）、これらが設定値以下であれば良品と判定し、設定値以上であれば不良品であると判定する構成である。
【００３６】
これにより、前記油圧無段変速装置の内部の機構部品の動きを、特定周波数帯域の圧力変動として抽出し、良否判定を行うことにより、精度の高い良否判定を行うことができる。
【００３７】
前記コンバイン１の穀粒貯留タンク７には、この穀粒貯留タンク７に貯留した穀粒を機外へ排出する旋回自在な穀粒移送排出筒１４の旋回を無線で制御する図１７、及び図１８で示すように、送信器２７ａと、受信器２７ｂとを設けた構成である。
【００３８】
前記送信器２７ａの表面板には、旋回用の左・右旋回スイッチ２７ｃ、２７ｄを設けると共に、該送信器２７ａと、該受信器２７ｂとの両者に各方位センサ２７ｅを設けている。これら左・右旋回スイッチ２７ｃ、２７ｄ、及び方位センサ２７ｅは、制御装置（ＣＰＵ）９へ入力され、この入力により、この制御装置９で該穀粒移送排出筒１４が旋回制御される構成である。
【００３９】
前記送信器２７ａからの操作信号と、該送信器２７ａの向いている方位を合わせて送信する構成として、コンバイン１の操作装置８に取付けた方位センサ２７ｅの出力から、該送信器２７ａがどちらに向けられて、操作されているか検出されることにより、該穀粒移送排出筒１４を運転作業者が思う方向に操作できる構成である。
【００４０】
これにより、前記受信器２７ｂと、該送信器２７ａとの両者に設けた該方位センサ２７ｅによって、該送信器２７ａの該コンバイン１に対する向きが検出できるので、該左・右旋回スイッチ２７ｃ、２７ｄに応じて、該穀粒移送排出筒１４の操作ができることにより、誤操作することが少なくなる。
【００４１】
図１９〜図２１で示すように、前記コンバイン１の穀粒貯留タンク７には、回動自在に穀粒移送排出筒１４を設け、この穀粒移送排出筒１４の回動移動操作は、送信器２７ａの操作を受信器２７ｂで受けて、これらに設けた各方位センサ２７ｅから制御装置９へ入力され、この制御装置９で発信機３２を介して発せられる電波により、該穀粒移送排出筒１４が図２１、及び図２２で示すように制御される構成である。
【００４２】
これにより、前記送信器２７ａと吐、受信器２７ｂとに設けた各方位センサ２７ｅによって、該送信器２７ａの該コンバイン１に対する向きが検出できることにより、操作用スイッチ２７ｆに応じて、該穀粒移送排出筒１４が操作できることにより、誤動作の減少を図ることができる。
【００４３】
図２３、及び図２４で示すように、前記操作装置８には、該コンバイン１の走行方向を修正する方向修正ダイヤルスイッチ３３を設けると共に、方向制御レバー３４を設け、これら方向修正ダイヤルスイッチ３３と、方向制御レバー３４との操作は、該操作装置８の制御装置９へ入力され、この入力により、油圧バルブ３５で走行用のミッションケース２９に内装した各プッシュシリンダ２９ｃで各サイドクラッチ２９ｄが作動され、左右両側の走行車軸２９ｅを回転駆動、又は回転停止させる構成である。
【００４４】
前記操作装置８に設けた刈脱クラッチレバー１１が「ＯＮ」状態で、該方向制御レバー３４が非操作時に、図２５で示す車体水平シリンダ３６、３６のストロールの差が一定以上になると、該方向修正ダイヤルスイッチ３３を回した側に、回した量に応じて、サイドクラッチ２９ｄを「切」るようにし、走行車軸２９ｅの回転を停止させて、直進性の向上を図った構成である。
【００４５】
これにより、通常は足を伸ばした側は、地盤が悪く、足を伸ばした側に前記コンバイン１が曲がろうとする。又、畝走行では、畝に落ちる方向に曲がろうとすることにより、方向制御操作が忙しくなる。これを解消するために、運転作業者の選択操作で、自動にてサイドクラッチ２９ｄを切ることにより、直進性が確保でき、操作性を向上させることができる。
【００４６】
前記走行車台２を装備した該コンバイン１において、図２４、及び図２５で示すように、該走行車台２を水平作動中に、足を伸ばしている側と反対側の該サイドクラッチ２９ｄを、一定間隔で切ることにより、直線性の向上を図ると共に、方向制御回路を設けた構成である。
【００４７】
又、左右両側の前記車体水平シリンダ３６のストローク差をポテンション３６ａで検出して、制御装置９へ入力され、この入力値が一定差以上の検出により、ストロークの少側のサイドクラッチ２９ｄを一定間隔で「切」操作する。更に、方向制御の優先回路を設け、方向制御操作中は、作動しない構成としている。
【００４８】
これにより、足を伸ばした側は地盤が悪く、足を伸ばした側に前記走行装置３が曲がろうとすることにより、方向制御が忙しくなる。これを解消するために、自動にて反対側のサイドクラッチ２９ｄを「切」ることにより、直進性が確保でき、操作性を向上させることができる。又、緊急時や、曲りが大きいときは、手動を優先として、修正可能になる。
【図面の簡単な説明】
【００４９】
【図１】コンバインの前側の全体正面図
【図２】コンバインの左側の全体側面図
【図３】ブロック回路図
【図４】フローチャート
【図５】フローチャート
【図６】フローチャート
【図７】多機能供給深さセンサの取付部側面図
【図８】多機能供給深さセンサの作用図
【図９】多機能供給深さセンサの取付構成図
【図１０】多機能供給深さセンサの距離測定図
【図１１】多機能供給深さセンサの出力状態図
【図１２】多機能供給深さセンサの平均出力特性図
【図１３】多機能供給深さセンサの従来の吐出圧力、及び吸込圧力図
【図１４】多機能供給深さセンサの従来の吸込圧力図
【図１５】多機能供給深さセンサの吐出圧力、及び吸込圧力図
【図１６】多機能供給深さセンサの吸込圧力図
【図１７】送信器の平面図
【図１８】受信器の作用図
【図１９】コンバインと送信器の関係図
【図２０】受信器の構成図
【図２１】フローチャート
【図２２】送信器の作用図
【図２３】システム説明図
【図２４】ミッションケースの正断面図
【図２５】システム説明図
【符号の説明】
【００５０】
４  刈取装置
５  脱穀装置
６  脱穀処理部
７  穀粒貯留タンク
９  制御装置
１０  排出クラッチレバー
１１  刈脱クラッチレバー
１２  前照灯
１３  作業灯
【図１】
2009055824.tif 000003
【図２】
2009055824.tif 000004
【図３】
2009055824.tif 000005
【図４】
2009055824.tif 000006
【図５】
2009055824.tif 000007
【図６】
2009055824.tif 000008
【図７】
2009055824.tif 000009
【図８】
2009055824.tif 000010
【図９】
2009055824.tif 000011
【図１０】
2009055824.tif 000012
【図１１】
2009055824.tif 000013
【図１２】
2009055824.tif 000014
【図１３】
2009055824.tif 000015
【図１４】
2009055824.tif 000016
【図１５】
2009055824.tif 000017
【図１６】
2009055824.tif 000018
【図１７】
2009055824.tif 000019
【図１８】
2009055824.tif 000020
【図１９】
2009055824.tif 000021
【図２０】
2009055824.tif 000022
【図２１】
2009055824.tif 000023
【図２２】
2009055824.tif 000024
【図２３】
2009055824.tif 000025
【図２４】
2009055824.tif 000026
【図２５】
2009055824.tif 000027